(57)【要約】【課題】入力機構デバイス及び縁から縁までの入力機構を提供する。【解決手段】本発明によるデバイスは、入力機構の従事者に対向する表面におけるレンズと、前記表面と反対側でレンズ上に被着された仕上げ層と、仕上げ層上の接着層と、副保持具（副保持具及び接着層は、接着層と関連する接着特性を介して互いに接合される）と、入力機構の従事者のレンズ上への圧力の印加に応答して副保持具と係合するボタン保持具とを含む。【選択図】図１Ａ
2015043322.tif 000002
【特許請求の範囲】
【請求項１】
入力機構デバイスであって、
入力機構の従事者に対向する表面におけるレンズと、
前記表面と反対側で前記レンズに被着された仕上げ層と、
前記仕上げ層上の接着層と、
副保持具であって、前記副保持具と前記接着層とが、前記接着層に関連する接着特性を介して互いに接合される、副保持具と、
前記入力機構の前記従事者の前記レンズへの圧力の印加に応答して前記副保持具と係合するボタン保持具と
を含むことを特徴とする、デバイス。
【請求項２】
前記レンズは透明である、請求項１記載のデバイス。
【請求項３】
前記仕上げ層は実質的に縁から縁に及ぶ、請求項１記載のデバイス。
【請求項４】
前記接着層は透明である、請求項１記載のデバイス。
【請求項５】
前記仕上げ層は装飾仕上げを含む、請求項３記載のデバイス。
【請求項６】
入力機構デバイスであって、
入力機構の従事者に対向する表面におけるレンズと、
前記表面と反対側で前記レンズに被着された仕上げ層と、
前記仕上げ層上の接着層と、
副保持具であって、前記副保持具と前記接着層とが、前記接着層と関連する接着特性を介して互いに接合される、副保持具と、
前記入力機構の前記従事者の前記レンズへの圧力の印加に応答して前記副保持具と係合するボタン保持具と、
前記仕上げ層を光で照射する照射源と
を含むことを特徴とする、デバイス。
【請求項７】
前記レンズは透明である、請求項６記載のデバイス。
【請求項８】
前記仕上げ層は実質的に縁から縁に及ぶ、請求項７記載のデバイス。
【請求項９】
前記接着層は透明である、請求項６記載のデバイス。
【請求項１０】
前記仕上げ層は装飾仕上げを含む、請求項８記載のデバイス。
【請求項１１】
前記接着層は開口部を含み、前記開口部は、前記光が前記仕上げ層上を通過することを可能にする、請求項６記載のデバイス。
【請求項１２】
縁から縁までの入力機構を提供するための方法であって、
前記縁から縁までの入力機構のインタフェースとなるレンズを提供することと、
前記レンズの前面の反対側の表面上に仕上げ層を被着させることと、
前記仕上げ層上に接着層を被着させることと、
前記仕上げ層を、前記接着層を介して、副保持具と接合させることと
を含み、
前記副保持具は、前記レンズに印加された圧力に応答してボタン保持具と係合することを特徴とする、方法。
【請求項１３】
前記レンズは透明である、請求項１２に記載の方法。
【請求項１４】
前記仕上げ層は実質的に縁から縁に及ぶ、請求項１２に記載の方法。
【請求項１５】
前記接着層は透明である、請求項１２に記載の方法。
【請求項１６】
装飾仕上げを、前記仕上げ層を介して被着させることを更に含む、請求項１２に記載の方法。
【発明の詳細な説明】
【技術分野】
【０００１】
本発明は、仕上げ層を有する接着付着されたレンズに関する。
【背景技術】
【０００２】
ボタン等の入力機構は、機能及び審美的魅力を促進するため家庭用電化製品に適用される。多くの場合、入力機構は、装飾オプションにおいて点灯及び表示される。入力機構は、家庭用電子デバイスから突出し得る。
【０００３】
入力機構は、係合されると、電気スイッチ等のスイッチを機械的に作動させ、電気的に作動した信号を引き起こす。電気信号が伝播され、家庭用電子デバイスのシステムを制御するために用いられ得る。
【０００４】
ある適用において、入力機構の実装者は、審美的に美しい外観を要求し得る。これらの場合において、レンズが用いられ得る。レンズは、透明であるか、又は実質的に透明であり、光の通過を可能にする。レンズの裏側には、塗装された仕上げが同様に適用され得る。塗装された仕上げは、装飾的外観を入力機構に提供する。
【０００５】
上述の種類の入力機構は、多くの場合、車室内に実装される。車両製造業者又は消費者向けパーツ供給業者は、それぞれの車両又はパーツの売り上げを伸ばすために審美的に美しい入力機構を所望し得る。入力機構のために有色の仕上げ塗装を有するレンズを用いることによって、車両及びパーツは、売上の大幅な伸びを実現し得る。
【発明の概要】
【課題を解決するための手段】
【０００６】
入力機構デバイス及び縁から縁までの装飾方法の入力機構を提供するための方法が提供される。デバイスは、入力機構の従事者（engager）に対向する表面におけるレンズと、前記表面の反対側でレンズ上に被着された仕上げ層と、仕上げ層上の接着層と、副保持具（副保持具及び接着層は、接着層と関連する接着特性を介して互いに接合される）と、入力機構の従事者のレンズ上への圧力の印加に応答して副保持具と係合するボタン保持具とを含む。
【０００７】
本発明の更なる理解を提供するために包含され、本明細書に組み込まれ、かつその一部を構成する添付の図面は、本発明の実施形態を図示するものであり、その説明とともに本発明の原理を説明するのに役立つ。
【図面の簡単な説明】
【０００８】
【図１Ａ】レンズ及び仕上げ層を用いる入力機構の側面図を図示する。
【図１Ｂ】図１Ａの入力機構の正面図を図示する。
【図２Ａ】入力機構の側面図の例となる実装例を図示する。
【図２Ｂ】図２Ａの入力機構の正面図を図示する。
【図３】別の例となる実装例による入力機構の側面図を図示する。
【図４】入力機構に縁から縁までの装飾方法を提供するための方法を図示する。
【０００９】
図面及び詳細な説明を通して、別途記載されない限り、同一の図面参照番号は、同一の要素、特性、及び構造を指すと理解される。これらの要素の相対的な大きさ及び描写は、明確さ、図解、及び都合上、強調されたものであり得る。
【発明を実施するための形態】
【００１０】
本明細書に開示される態様は、本発明の実施形態が示される添付の図面を参照して以下でより十分に説明される。しかしながら、これらの態様は、多くの異なる形態で具現化されてもよく、本明細書に説明される実施形態に限定されると解釈されてはならない。むしろ、これらの実施形態は、本開示が完全なものであり、かつ当業者に本発明の範囲を完全に伝えるために提供される。図面において、層及び領域の大きさ及び相対的な大きさは、明確さのために強調されたものであり得る。図面の同様の参照番号は、同様の要素を指す。
【００１１】
本明細書で使用される用語は、特定の実施形態のみを説明するためのものであり、本発明を限定するよう意図されていない。本明細書で使用されるとき、単数形「１つの」は、別途明確に示されない限り、複数形をも含むように意図される。「含む／備える」という用語は、本明細書で使用されるとき、記述される特性、整数、ステップ、動作、要素、及び／又は構成要素の存在を指定するが、１つ以上の他の特性、整数、ステップ、動作、要素、構成要素、及び／又はこれらの群の存在又は追加物を除外しないことが更に理解される。本開示の目的のために、「それぞれの少なくとも１つ」は、列挙される要素の複数の組み合わせを含む、それぞれの言語に従う列挙される要素の任意の組み合わせを意味すると解釈されることが理解される。例えば、「Ｘ、Ｙ、及びＺのうちの少なくとも１つ」は、Ｘのみ、Ｙのみ、Ｚのみ、又はＸ、Ｙ、及びＺのうちの２つ以上の項目の任意の組み合わせ（例えば、ＸＹＺ、ＸＺ、ＹＺ、Ｘ）を意味すると解釈される。
【００１２】
家庭用電化製品に用いられるボタン等の入力機構は、入力機構のアクチュエータに可視的な外側部分上にレンズを組み込み得る。上で説明されるように、レンズを用いることで、審美的に美しいユーザ経験を提供する。
【００１３】
レンズ実装を補強するために、仕上げ塗装層を用いることもできる。仕上げ層は、家庭用電子デバイスの動作主が接触するレンズの表面と反対側のレンズの表面上に位置付けられる。仕上げ層は、入力機構機能に関連した装飾又は指標であり得る。
【００１４】
図１Ａは、レンズ１１０及び仕上げ層１２０を用いる入力機構１００の側面図を示し、図１Ｂは、入力機構１００の正面図を示す。
【００１５】
図１Ａ及び図１Ｂを参照して、入力機構１００は、レンズ１１０、仕上げ層１２０、及びアクチュエータ機構１３０を含む。レンズ１１０は、接触されるか、又はレンズ１１０に圧力をかけられると、アクチュエータ機構１３０へ圧力を移動させる。移動した圧力によって、次いで、アクチュエータ機構１３０は電子信号を生成し得る。電子信号は、次いで、入力機構１１０に関連した家庭用デバイスの動作を引き起こし得る。
【００１６】
図１Ａ及び図１Ｂに示すように、レンズ１１０及び仕上げ層１２０は、機械的締付け技術１４０を介して入力機構１３０に取り付けられる。機械的締付け技術１４０は、任意のボルト、ねじ、又は取り付け部品であってもよい。
【００１７】
しかしながら、機械的締付け技術１４０を用いる限り、透明なレンズ１１０は、機械的締付け技術１４０の一部を示す。さらに、任意の種の塗装であり得る仕上げ層１２０は、断続的に提示される。断続的な提示は、魅力の低下につながり、レンズ１１０を用いることによって評価される審美的利益を低下し得る。
【００１８】
機械的締付け技術１４０によって引き起こされる現象を避けるためのデバイス及び方法が本明細書に開示される。具体的には、本明細書に開示される態様は、仕上げ層を有する接着取り付けされるレンズを対象とする。接着層を用いることによって、入力機構は、機械的締付け技術１４０によって引き起こされるいかなる種の断続を経験することなく、仕上げ層１２０によって促進された縁から縁までの外観を実現する。この様式において、本明細書に開示される入力機構の実装者は、より一層審美的に仕上げられた製品を実現し得る。
【００１９】
図２Ａは、本明細書に開示される態様による、入力機構２００の側面図を示す。図２Ｂは、入力機構２００の正面図を示す。
【００２０】
入力機構２００は、レンズ２１０、仕上げ層２２０、及び接着層２３０を含む。接着層２３０は、レンズ１１０及び仕上げ層２２０を機械的締付け技術２４０に貼りつける。
【００２１】
機械的締付け技術２４０は、副保持具２５０、ボタン保持具２６０、及び摺動枠２７０を含む。摺動枠２７０は、べゼル（示せず）とともに提供されてもよい。
【００２２】
具体的には、接着層２３０は、仕上げ層２２０又は副保持具２５０のいずれかの上に被着されてもよい。いずれの場合においても、副保持具２５０とレンズ２１０にかかる圧力に応答して、接着層２３０は、２つの部材をともに接合する。
【００２３】
接着層２３０は、透明であり得るか、又は実質的に光が通過することを可能にし得る。あるいは、接着層２３０は、開口部を有し得、光が通過することを可能にし、それによって、仕上げ層２２０を照射する。
【００２４】
入力機構２００のユーザがレンズ２１０に応力をかけると、例えば、接触を介して、レンズ２１０が移動し、それによって、副保持具２５０を更に移動させる。副保持具２５０は、摺動枠２７０を介して摺動した後、ボタン保持２６０に接触し得、ボタン保持具に電気信号を作動させ得る。次いで、電気信号は、家庭用デバイスを動作させ得る。例えば、入力機構２００が車両に実装される場合、入力機構２００は、オーディオデバイスをオンにさせ得る。
【００２５】
したがって、接着層２３０がレンズ２１０を副保持具２５０に取り付けるのに用いられるため、図１Ａに示す影響は回避される。仕上げ層２２０は、実質的には、「縁から縁」に及び、提示の際は連続的である。このように、入力機構２００は、図１Ａに描写される入力機構１００よりも審美的に美しくなり得る。
【００２６】
機械的締付け技術２４０は、単に例にすぎない。当業者であれば、任意の種のボタン技術を実装して電気信号を作動させることができる。
【００２７】
図３は、別の例となる実装による入力機構２００の側面図である。
【００２８】
図３に示す入力機構２００は、図２Ａ及び図２Ｂに示す入力機構と実質的に同様である。しかしながら、入力機構２００は、ここでは、照明源２８０を組み込む。照明源２８０は、入力機構２００を逆光で照射らし、それによって、仕上げ層２２０を照射し、入力機構２００の動作主により明るくてはっきりとした界面を提供する。
【００２９】
図１Ａ及び図１Ｂに示す入力機構１００とは対照的に、入力機構２００を実装するときに利点が実現される。光漏れと称される現象が入力機構１００で生じる。光漏れは、機械的締付け技術１４０周辺の領域によって引き起こされる。ともに提供される機械的締付け技術１４０及び仕上げ層１２０によって引き起こされる断続的な外観のため、照明源２８０からの光は、不用意に漏れる場合がある。仕上げ層１２０の不完全な縁から縁までの装飾被覆は、不透明な塗装不足が縁に存在するため、可視的な照明源２８０からの光漏れを引き起こし得る。
【００３０】
これに反して、図２Ａ、図２Ｂ及び図３に描写された入力機構２００は、この現象を実現しない。仕上げ層が連続的である（「縁から縁に及ぶ」（edge-to-edge））ため、光漏れが生じない。
【００３１】
図４は、縁から縁までの入力機構を提供するための方法４００を示す。方法４００は、機械及び組み立てプロセスを介して、自動化されたプロセスによって達成され得る。あるいは、方法４００は、個人が入力機構を手動で組み立てることによって実践され得る。
【００３２】
動作４１０において、入力機構の界面と使用するためのレンズが提供される。レンズは、任意の種の透明な表面、又は部分的に透明な表面であり得る。上で説明されるように、レンズは、入力機構の審美的設計を強化し得る。
【００３３】
動作４２０において、仕上げ層がレンズに被着され得る。仕上げ層は、レンズを特定の色で補強するために使用される塗装層である。仕上げ層は、光の通過を可能にし得、それゆえに、光彩の効果をもたらす。
【００３４】
動作４３０において、接着剤が付けられる。接着剤は、上で論じられた副保持具等の構造に塗布され得る。あるいは、接着剤は、仕上げ層に塗布され得る。
【００３５】
動作４４０において、入力機構は、レンズ、仕上げ層、及び副保持具構造を接合することによって完全に組み立てられる。結果として生じるデバイスは、上で説明さる入力機構２００等の入力機構を形成する。
【００３６】
したがって、本明細書に開示される態様により、図２〜図４に説明する入力機構を実装するデバイスは、装飾塗装層の縁から縁までの外観を実現し得る。よって、入力機構は、より一層審美的な外観で提示され得る。
【００３７】
本発明の精神又は範囲から逸脱することなく、本発明において様々な修正及び変更が加えられてもよいことは、当業者には明らかである。したがって、本発明が本発明の修正及び変更を包含するよう意図されるが、但し、それらが添付の特許請求の範囲及びそれらの等価物の範囲内で行われることを条件とする。
【符号の説明】
【００３８】
１００  入力機構
１１０  レンズ
１２０  仕上げ層
１３０  アクチュエータ機構
１４０  機械的締付け技術
２００  入力機構
２１０  レンズ
２２０  仕上げ層
２３０  接着層
２４０  機械的締付け技術
２５０  副保持具
２６０  ボタン保持具
２７０  摺動枠
２８０  照明源
【図１Ａ】
2015043322.tif 000003
【図１Ｂ】
2015043322.tif 000004
【図２Ａ】
2015043322.tif 000005
【図２Ｂ】
2015043322.tif 000006
【図３】
2015043322.tif 000007
【図４】
2015043322.tif 000008